(57)【特許請求の範囲】
【請求項１】
柱の下端部に床梁を接合して床構造体を構成した建物ユニットにおいて、
床構造体の少なくとも一辺に設けられる床梁を特殊床梁とし、特殊床梁は床構造体の上記一辺において相対する両柱の連結線に対するユニット外側で、各柱の下端部に設けた梁連結部のユニット外側に臨む側面に接合され、
特殊床梁は梁上面レベルを標準床梁の梁上面レベルより低くされるとともに、床構造体を支持する下部構造体の側傍に配置可能にされることを特徴とする建物ユニット。
【請求項２】
前記柱の下端部に設けた梁連結部が柱の下端部から床構造体の輪郭に沿う方向に突設したジョイントピースを有してなり、特殊床梁の端部の上面に設けた接続金物をジョイントピースのユニット外側に臨む側面に接合してなる請求項１に記載の建物ユニット。
【請求項３】
前記特殊床梁が設けられる床構造体の一辺に補助床梁を併せ設け、補助床梁は床構造体の上記一辺において相対する両柱の連結線上で各柱の下端部に設けた梁連結部に接合され、
補助床梁は梁上面レベルを標準床梁の梁上面レベルより低くされるとともに、床構造体を支持する下部構造体の上に配置可能にされる請求項１又は２に記載の建物ユニット。
【請求項４】
前記柱の下端部に設けた梁連結部が柱の下端部から床構造体の輪郭に沿う方向に突設したジョイントピースを有してなり、補助床梁の端部の端面をジョイントピースの突設端に接合した平板の下半部に接合し、補助床梁の端部の上面に設けた接続金物を平板の上半部に接合してなる請求項３に記載の建物ユニット。
【発明の詳細な説明】
【技術分野】
【０００１】
本発明は、建物ユニットに関する。
【背景技術】
【０００２】
建物ユニットとして、柱の下端部に床梁を接合して床構造体を構成したものがある。この建物ユニットにおいて、浴室等の床レベルを標準床レベルよりも下げるとき、特許文献１に記載の如く、梁せいが梁長手方向で変化してなる床梁を用い、床梁が梁せいの高い主床梁と、梁せいの低い副床梁とを接合してなるものにし、低床レベル部に対応する部分に副床梁を設けるものがある。副床梁の床上面レベルを標準床梁（標準床レベル部対応する部分に設けられる床梁）の床上面レベルより低くするものである。
【特許文献１】特開平7-279255
【発明の開示】
【発明が解決しようとする課題】
【０００３】
特許文献１に記載の建物ユニットでは、梁せいの低い副床梁が床構造体の低床レベル部に対応する一辺において相対する両柱の連結線上に設けられ、床構造体を支持する基礎等の下部構造体の上に配置される。従って、副床梁は梁下面レベルが基礎等に干渉して梁せい（梁断面の高さ）を高くとれず、断面強度（断面係数等）を大きくとることができない。
【０００４】
本発明の課題は、建物ユニットにおいて、床構造体の少なくとも一辺に特殊床梁を設けて低床レベル部を設けるとき、特殊床梁の断面強度を確保しながら、標準床レベルに対しできるだけ低い低床レベル部を形成することにある。
【課題を解決するための手段】
【０００５】
請求項１の発明は、柱の下端部に床梁を接合して床構造体を構成した建物ユニットにおいて、床構造体の少なくとも一辺に設けられる床梁を特殊床梁とし、特殊床梁は床構造体の上記一辺において相対する両柱の連結線に対するユニット外側で、各柱の下端部に設けた梁連結部のユニット外側に臨む側面に接合され、特殊床梁は梁上面レベルを標準床梁の梁上面レベルより低くされるとともに、床構造体を支持する下部構造体の側傍に配置可能にされるようにしたものである。
【０００６】
請求項２の発明は、請求項１の発明において更に、前記柱の下端部に設けた梁連結部が柱の下端部から床構造体の輪郭に沿う方向に突設したジョイントピースを有してなり、特殊床梁の端部の上面に設けた接続金物をジョイントピースのユニット外側に臨む側面に接合してなるようにしたものである。
【０００７】
請求項３の発明は、請求項１又は２の発明において更に、前記特殊床梁が設けられる床構造体の一辺に補助床梁を併せ設け、補助床梁は床構造体の上記一辺において相対する両柱の連結線上で各柱の下端部に設けた梁連結部に接合され、補助床梁は梁上面レベルを標準床梁の梁上面レベルより低くされるとともに、床構造体を支持する下部構造体の上に配置可能にされるようにしたものである。
【０００８】
請求項４の発明は、請求項３の発明において更に、前記柱の下端部に設けた梁連結部が柱の下端部から床構造体の輪郭に沿う方向に突設したジョイントピースを有してなり、補助床梁の端部の端面をジョイントピースの突設端に接合した平板の下半部に接合し、補助床梁の端部の上面に設けた接続金物を平板の上半部に接合してなるようにしたものである。
【発明の効果】
【０００９】
（請求項１）
(a)建物ユニットにおいて、特殊床梁の床上面レベルを標準床梁の床上面レベルより低くし、この特殊床梁により低床レベル部を形成するに際し、特殊床梁は床構造体の低床レベル部に対応する一辺において相対する両柱の連結線に対するユニット外側で各柱の下端部に設けた梁連結部のユニット外側に臨む側面に接合され、床構造体を支持する基礎等の下部構造体の側傍に配置される。従って、特殊床梁は基礎等に干渉することなく梁下面レベルを下げて梁せいを高くとることができ、断面強度（断面係数等）を大きくとりながら、標準床レベルに対してできるだけ低い低床レベル部を形成できる。
【００１０】
（請求項２）
(b)柱の下端部に設けた梁連結部が柱の下端部から床構造体の輪郭に沿う方向に突設したジョイントピースを有してなり、特殊床梁の端部の上面に設けた接続金物をジョイントピースのユニット外側に臨む側面に接合した。従って、特殊床梁を建物ユニットの相対する柱の下端部に設けた梁連結部に強固に接合しながら、その梁上面レベルを下げることができる。
【００１１】
(c)建物ユニットに付属ユニットを隣接設置等するとき、建物ユニットと付属ユニットの接合面で付属ユニットの相対する柱のそれぞれは、建物ユニットの特殊床梁と干渉することなく、その特殊床梁の両外側で、建物ユニットの相対する柱のそれぞれに近接設置できる。
【００１２】
（請求項３）
(d)特殊床梁が設けられる床構造体の一辺に補強床梁を併せ設け、しかも、補強床梁は床構造体の低床レベル部に対応する一辺において相対する両柱の連結線上で各柱の下端部に設けた梁連結部に接合され、床構造体を支持する基礎等の下部構造体の上に配置される。従って、相対する柱と補強床梁を同一面内に設け、建物ユニットの構造強度を確実に補強できる。
【００１３】
（請求項４）
(e)柱の下端部に設けた梁連結部が柱の下端部から床構造体の輪郭に沿う方向に突設したジョイントピースを有してなり、補助床梁の端部の端面をジョイントピースの突設端に接合した平板の下半部に接合し、補助床梁の端部の上面に設けた接続金物を平板の上半部に接合した。従って、補強床梁を建物ユニットの相対する柱の下端部に設けた梁連結部に強固に接合しながら、その梁上面レベルを下げることができる。
【発明を実施するための最良の形態】
【００１４】
図１はユニット建物を示す模式斜視図、図２は建物ユニットの低床レベル部を示し、（Ａ）は全体斜視図、（Ｂ）は要部斜視図、図３は建物ユニットの低床レベル部に設けた浴室を示す模式正面図、図４は建物ユニットの低床レベル部の施工手順を示す模式図である。
【実施例】
【００１５】
ユニット建物１は、図１に示す如く、複数の建物ユニット１０を基礎２の上に据付けて構築されたものであり、１つの建物ユニット１０Ａの一側に付属ユニット１００を隣接設置し、これらの相隣るユニット１０Ａ、１００により浴室１０１を構成する。
【００１６】
建物ユニット１０は、標準的には、前述の特許文献１にも記載される如く、４本の角鋼管製柱１１を４隅に配置し、各柱１１の下端部に設けた溝形状鋼板製梁連結部１１Ａに床構造体２０の４隅を接合するとともに、各柱１１の上端部に設けた溝形状鋼板製梁連結部に天井構造体（不図示）の４隅を接合することにて、箱形の骨組構造体をなす如くに構成されている。床構造体２０は、４本の溝形鋼製床梁２１（標準床梁）を上記梁連結部１１Ａの内側に重ね合せる如くに嵌合、溶接して形成した枠組構造体である。また、天井構造体は、４本の溝形鋼製天井梁を上記梁連結部の内側に重ね合せる如くに嵌合、溶接して形成した枠組構造体である。
【００１７】
しかるに、ユニット建物１は、図１、図２に示す如く、付属ユニット１００が隣接設置される建物ユニット１０Ａにおいて浴室１０１を構成するものであり、床構造体２０の標準床レベルよりも下げた低床レベル部２０Ａの上にバスユニット１０２を設置するものである。
【００１８】
建物ユニット１０Ａは、図２に示す如く、床構造体２０の低床レベル部２０Ａに対応する一辺に設けられる床梁を特殊床梁３０とする。特殊床梁３０は鋼管（溝形鋼等でも可）にて形成され、床構造体２０の上記一辺において相対する両柱１１、１１の連結線に対するユニット外側で、各柱１１の下端部に設けた梁連結部１１Ａのユニット外側に臨むウエブ側面に、後述する如くに接合される。特殊床梁３０は、梁上面レベルを標準床梁２１（床構造体２０の上記１辺を除く他の３辺に対応する標準床レベル部に設けられる床梁２１）の梁上面レベルより低くされるとともに、床構造体２０を支持する下部構造体としての基礎２の側傍に配置される。
【００１９】
建物ユニット１０Ａにおいて、相対する柱１１の各下端部に設けた梁連結部１１Ａは、柱１１の下端部から床構造体２０の輪郭に沿う方向に突設したジョイントピースにて形成されている。そして、特殊床梁３０の両端部の上面に溶接等により設けた接続金物３１が、相対する柱１１の各下端部に設けたジョイントピース１１Ａのユニット外側に臨むウエブ側面に溶接等により接合される。接続金物３１は、特殊床梁３０に接合される横板部３１Ａと、ジョイントピース１１Ａに接合される縦板部３１Ｂと、横板部３１Ａと縦板部３１Ｂをつなぐ三角板部３１Ｃを有する。
【００２０】
建物ユニット１０Ａは、特殊床梁３０が設けられる床構造体２０の上記１辺に補助床梁４０を併せ設ける。補助床梁４０は鋼管（溝形鋼等でも可）にて形成され、床構造体２０の上記１辺において相対する両柱１１、１１の連結線上で各柱１１の下端部に設けた梁連結部１１Ａに後述する如くに接合される。補助床梁４０は、梁上面レベルを標準床梁２１の梁上面レベルより低く設定されるとともに、柱１１及び床構造体２０を支持する下部構造体としての基礎２０の上に配置される。
【００２１】
建物ユニット１０Ａにおいて、相対する柱１１の各下端部に設けた梁連結部１１Ａは、前述の通り、ジョイントピースにて形成されている。これらのジョイントピース１１Ａそのもの、又はジョイントピース１１Ａに接合されている標準床梁２１のカット端部からなる突設端に平板４１を溶接等により接合する。そして、補助床梁４０の両端部の端面を上記平板４１の下半部に溶接等により接合する。更に、補助床梁４０の両端部の上面に溶接等により設けた接続金物４２を、平板４１の上半部に溶接等により接合する。接続金物４２は、補助床梁４０に接合される横板部４２Ａと、平板４１に接合される縦板部４２Ｂと、横板部４２Ａと縦板部４２Ｂをつなぐ三角板部４２Ｃを有する。
【００２２】
従って、建物ユニット１０Ａの低床レベル部２０Ａは図４に示す如くに形成される。
(1)相対する柱１１の各下端部に設けた梁連結部１１Ａに標準床梁２１が連結されている（図４（Ａ））。
【００２３】
(2)標準床梁２１の低床レベル部２０Ａに対応する部分をカットする（図４（Ｂ））。
【００２４】
(3)特殊床梁３０の両端部に設けた接続金物３１のそれぞれを相対する柱１１の各下端部に設けたジョイントピース１１Ａのウエブ側面に接合する（図４（Ｃ）。
【００２５】
(4)相対する柱１１の各下端部に設けたジョイントピース１１Ａの突設端に平板４１を接合する。補助床梁４０の両端部の端面を平板４１の下半部に接合し、補助床梁４０の両端部の上面に設けた接続金物４２を平板４１の上半部に接合する（図４（Ｄ））。
【００２６】
本実施例によれば以下の作用効果を奏する。
(a)建物ユニット１０Ａにおいて、特殊床梁３０の床上面レベルを標準床梁２１の床上面レベルより低くし、この特殊床梁３０により低床レベル部２０Ａを形成するに際し、特殊床梁３０は床構造体２０の低床レベル部２０Ａに対応する一辺において相対する両柱１１の連結線に対するユニット外側で各柱１１の下端部に設けた梁連結部１１Ａのユニット外側に臨む側面に接合され、床構造体２０を支持する基礎２等の下部構造体の側傍に配置される。従って、特殊床梁３０は基礎２等に干渉することなく梁下面レベルを下げて梁せいを高くとることができ、断面強度（断面係数等）を大きくとりながら、標準床レベルに対してできるだけ低い低床レベル部２０Ａを形成できる。
【００２７】
(b)柱１１の下端部に設けた梁連結部１１Ａが柱１１の下端部から床構造体２０の輪郭に沿う方向に突設したジョイントピース１１Ａを有してなり、特殊床梁３０の端部の上面に設けた接続金物３１をジョイントピース１１Ａのユニット外側に臨む側面に接合した。従って、特殊床梁３０を建物ユニット１０Ａの相対する柱１１の下端部に設けた梁連結部１１Ａに強固に接合しながら、その梁上面レベルを下げることができる。
【００２８】
(c)建物ユニット１０Ａに付属ユニット１００を隣接設置等するとき、建物ユニット１０Ａと付属ユニット１００の接合面で付属ユニット１００の相対する柱１１のそれぞれは、建物ユニット１０Ａの特殊床梁３０と干渉することなく、その特殊床梁３０の両外側で、建物ユニット１０Ａの相対する柱１１のそれぞれに近接設置できる。
【００２９】
(d)特殊床梁３０が設けられる床構造体２０の一辺に補強床梁を併せ設け、しかも、補強床梁は床構造体２０の低床レベル部２０Ａに対応する一辺において相対する両柱１１の連結線上で各柱１１の下端部に設けた梁連結部１１Ａに接合され、床構造体２０を支持する基礎２等の下部構造体の上に配置される。従って、相対する柱１１と補強床梁を同一面内に設け、建物ユニット１０Ａの構造強度を確実に補強できる。
【００３０】
(e)柱１１の下端部に設けた梁連結部１１Ａが柱１１の下端部から床構造体２０の輪郭に沿う方向に突設したジョイントピース１１Ａを有してなり、補助床梁４０の端部の端面をジョイントピース１１Ａの突設端に接合した平板４１の下半部に接合し、補助床梁４０の端部の上面に設けた接続金物４２を平板４１の上半部に接合した。従って、補強床梁を建物ユニット１０Ａの相対する柱１１の下端部に設けた梁連結部１１Ａに強固に接合しながら、その梁上面レベルを下げることができる。
【００３１】
以上、本発明の実施例を図面により詳述したが、本発明の具体的な構成はこの実施例に限られるものではなく、本発明の要旨を逸脱しない範囲の設計の変更等があっても本発明に含まれる。本発明が適用される建物ユニットにあっては、床構造体の２辺以上において本発明の特殊床梁を設けることができる。
【００３２】
本発明の建物ユニットが上階に設けられるとき、床構造体を支持する下部構造体は、下階建物ユニットの天井梁等になる。
【００３３】
本発明の建物ユニットは、浴室に限らず、玄関、ステップダイン室、勝手口、車庫等を形成するものにも適用できる。
【図面の簡単な説明】
【００３４】
【図１】図１はユニット建物を示す模式斜視図である。
【図２】図２は建物ユニットの低床レベル部を示し、（Ａ）は全体斜視図、（Ｂ）は要部斜視図である。
【図３】図３は建物ユニットの低床レベル部に設けた浴室を示す模式正面図である。
【図４】図４は建物ユニットの低床レベル部の施工手順を示す模式図である。
【符号の説明】
【００３５】
１  ユニット建物
２  基礎（下部構造体）
１０Ａ  建物ユニット
１１  柱
１１Ａ  梁連結部（ジョイントピース）
２０  床構造体
２０Ａ  低床レベル部
２１  床梁
３０  特殊床梁
３１  接続金物
４０  補助床梁
４１  平板
４２  接続金物
【図１】
0005001775.tif 000002
【図２】
0005001775.tif 000003
【図３】
0005001775.tif 000004
【図４】
0005001775.tif 000005